(57)【特許請求の範囲】
【請求項１】
被写体を照明する照明光を発生する光源装置と、
前記照明光で照明された前記被写体像を撮像する撮像手段と、
前記撮像手段から出力された撮像信号の信号レベルに応じて調光信号を生成する調光信号生成手段と、
前記調光信号生成手段から出力された前記調光信号の信号レベルに比例して前記撮像手段から出力される撮像信号レベルを制御する調光手段と、
前記調光信号に基づき、該調光信号が前記調光手段の制御限界値に達したことを検出する限界値検出手段と、
前記限界値検出手段による限界値検出信号に基づき、前記光源手段が発生する前記照明光を予め決められた規定量だけ低減する照明光低減手段と
を具備したことを特徴とする電子内視鏡装置。
【発明の詳細な説明】
【０００１】
【発明の属する技術分野】
本発明は電子内視鏡装置、更に詳しくは照明光の減光制御部分に特徴のある電子内視鏡装置に関する。
【０００２】
【従来の技術】
内視鏡に設けた撮像手段で撮像した画像をモニタの表示面に内視鏡画像として表示する電子内視鏡装置の先行例として特開平１０−２０１７０６号公報がある。
【０００３】
この特開平１０−２０１７０６号公報では、オートアイリス、光源調光、電子シャッタのそれぞれの明るさ制御（調光制御）によるモニタの表示面に表示される画像の明るさの目標輝度レベルに差を持たせているために、調光制御手段の選択によって目標の明るさが変化してしまう。
【０００４】
例えば、光源調光制御を優先する状態から光源調光制御を選択しないで、次の優先順位のオートアイリスで調光制御を行う状態に選択を変更すると、調光制御の優先順位が変わり、光源調光制御の目標値よりオートアイリスによる目標値が低く設定されていると暗くなり、逆に高く設定されていると明るくなってしまうという問題があった。
【０００５】
これに対処するために、調光制御の優先順位の変更に応じて調光制御の目標値を再設定することが考えられる。つまり、調光制御の第１の優先順位において最高位の第１の調光制御手段を選択せず第２位の第２の調光制御手段の制御を選択した際には、調光制御が第１の優先順位から第２の調光制御手段の制御を最高位とする第２の優先順位に移行する。この際、第１の優先順位における第２の調光制御手段の目標値も第２の優先順位における第２の調光制御手段の目標値に再設定する。このようにすることで、調光制御手段の選択によらず、最適な明るさ制御が可能となる。
【０００６】
【発明が解決しようとする課題】
しかしながら、例え調光制御の優先順位の変更に応じて調光制御の目標値を再設定することで、最適な明るさ制御を行ったとしても、例えば電子シャッタのみによる調光制御の場合、通常の光量範囲では確かに明るさ制御の最適化が図れるが、被写体に近接した場合には、ハレーションを起こすといった問題がある。つまり、電子シャッタのシャッタデータ（電荷掃き出し時間）には、ＣＣＤの垂直ライン数の兼ね合いで限界（通常は1/100000秒）があり、電子シャッタのみによる調光制御の場合、被写体に近接した場合には電荷掃き出しが間に合わず、ハレーションを起こすといった問題がある。
【０００７】
また、オートアイリスのみによる調光制御の場合、被写体に近接した場合には、絞りを絞り込むことになるが、あまり絞りすぎると回折現象が生じ深度向上が得られないため、絞り込みに機械的な限界を与える必要があり、このためこの場合でもハレーションを起こすといった問題がある。
【０００８】
本発明は、上記事情に鑑みてなされたものであり、適正な調光制御を行うと共に、近接撮影時のハレーションの発生を防止することのできる電子内視鏡装置を提供することを目的としている。
【０００９】
【課題を解決するための手段】
本発明の電子内視鏡装置は、被写体を照明する照明光を発生する光源装置と、前記照明光で照明された前記被写体像を撮像する撮像手段と、前記撮像手段から出力された撮像信号の信号レベルに応じて調光信号を生成する調光信号生成手段と、前記調光信号生成手段から出力された前記調光信号の信号レベルに比例して前記撮像手段から出力される撮像信号レベルを制御する調光手段と、前記調光信号に基づき該調光信号が前記調光手段の制御限界値に達したことを検出する限界値検出手段と、前記限界値検出手段による限界値検出信号に基づき前記光源手段が発生する前記照明光を予め決められた規定量だけ低減する照明光低減手段とを具備して構成される。
【００１０】
【発明の実施の形態】
以下、図面を参照しながら本発明の実施の形態について述べる。
【００１１】
図１ないし図１１は本発明の一実施の形態に係わり、図１は第１の実施の形態の電子内視鏡装置の構成を示し、図２は光源装置の構成を示し、図３は光源装置の制御系の構成を示し、図４はＣＣＵの構成を示し、図５はフロントパネルＳＷ部の構成を示し、図６は検波回路の構成を示し、図７は目標レベル設定回路の構成を示し、図８はシャッタデータ変換回路の構成を示し、図９はシャッタデータ変換回路の変形例の構成を示し、図１０は優先順位決定回路で設定される第１優先順位での各調光制御手段の目標レベルの具体例を示し、図１１はＡＧＣゲインとＤＮＲ設定の関係の説明図である。
【００１２】
図１に示す電子内視鏡装置１は、体腔内に挿入し被写体２を観察する硬性内視鏡３と、硬性内視鏡３に照明光を供給する光源装置４と、硬性内視鏡３の接眼部に着脱自在に接続され被写体２を撮像するカメラヘッド６と、ケーブル２３によりカメラヘッド６に接続されカメラヘッド６からの撮像信号を信号処理するカメラコントロールユニット（以下、ＣＣＵと略記）７と、ＣＣＵ７により信号処理された被写体の画像を表示するモニタ８とを備えて構成される。
【００１３】
硬性内視鏡３は、細長の挿入部９を有し、この挿入部９の先端部１０に被写体２の観察像を入射する観察窓１１を設け、この観察窓１１に被写体２の観察像を結像する対物レンズ１２を取付けている。また、挿入部９内には観察像を光学像として接眼部５側に伝達するリレーレンズ１３を設け、挿入部９の後端に設けた接眼部５には観察像を拡大観察するための接眼レンズ１４を設けている。
【００１４】
また、硬性内視鏡３には、被写体２を照明するための光源装置４からの照明光を伝送するライトガイド１５が設けられており、先端部１０より被写体２に向け照明光を照射するようになっている。ライトガイド１５は、光源装置４と着脱自在に装着され、光源装置４では、ランプ１６により発光された照明光をレンズ１７で集光し、ライトガイド１５に供給するようになっている。また、光源装置４にはランプ１６の照明光をライトガイド１５に供給する光量を（絞りの開口量で）調整する絞り装置１８が設けられており、ランプ１６により発光した照明光の光量を適宜の値に制御できるようになっている。また、ランプ１６と絞り装置１８との間には後述するターレット１０１が設けられている。なお、絞り装置１８及びターレット１０１は、ＣＣＵ７から光源ケーブル１９を介して与えられる後述する調光信号により制御される。
【００１５】
リレーレンズ１３により伝送された被写体２の像は、接眼レンズ１４により拡大され、絞り（アイリス）２０を介して、カメラヘッド６内の対向する結像レンズ２１を経て固体撮像素子としての電荷結合素子（以下、ＣＣＤと略記）２２の撮像面に結像される。この像はＣＣＤ２２により電気信号、つまり撮像信号に変換される。
【００１６】
この撮像信号は、ケーブル２３を介してＣＣＵ７に伝送され、ＣＣＵ７で信号処理を行って映像信号に変換し、ケーブル２４を介して映像信号をモニタ８に出力し、術者はモニタ８の表示面に表示される被写体２の像を観察することができるようにしている。
【００１７】
図２において、光源装置４は、ランプ１６を有するランプハウスユニット１５１を備えている。また、ランプハウスユニット１５１に隣接して照明光の減光を行う例えば４つのフィルタ部１５４ａ，１５４ｂ，１５４ｃ，１５４ｄ（図３参照）を有する光量切換用のターレット１０１が設けられている。このターレット１０１は、ターレット回転用のモータ１５７により歯車１５８を介して回転駆動されるようになっている。ターレット１０１はモータ１５７によって回転されることで、フィルタ部１５４ａ，１５４ｂ，１５４ｃ，１５４ｄのいずれかを光路上に挿入できるようになっている。
【００１８】
なお、フィルタ部１５４ａにはメッシュ状のフィルタが配置され、フィルタ部１５４ｂにはフィルタは配置されておらず、フィルタ部１５４ｃには非常灯ランプが配置され、フィルタ部１５４ｄは予備となっている（図３参照）。
【００１９】
また、ターレット１０１の側方には、フィルタ部１５４ａ，１５４ｂ，１５４ｃ，１５４ｄのうちどのフィルタ部が光路上に挿入されたを検出するフィルタ適正位置検出回路１５５が設けられている。ランプ１６の光路上には照明光を集光する光学系１５９が設けられており、光源装置４に接続されたライトガイド１５の入射端面に照明光を照射するようになっている。さらに光軸上には絞り装置１８を構成する絞り羽根１６２とシャッタ１６３とが設けられている。
【００２０】
図３を用いて光源装置４の制御系を説明する。図３に示すように、ターレット１０１を駆動するモータ１５７はモータ制御回路１６４により制御されており、回転駆動を制御されるようになっている。モータ制御回路１６４は演算回路１６６に接続されており、演算回路１６６からの制御信号によってモータ１５７を駆動するようになっている。演算回路１６６は、ＣＣＵ７の後述する光源制御回路４５にケーブル１９を介して接続されており、光源制御回路４５の制御に基づき制御信号をモータ制御回路１６４に出力するようになっている。
【００２１】
次に図４を用いて、ＣＣＵ７の構成を説明する。
【００２２】
カメラヘッド６内のＣＣＤ２２により得られた撮像信号は、アンプ（ＡＭＰ）３１により増幅され、パルストランス３２によりこの患者回路と絶縁された二次回路に入力される。撮像信号は次に相関二重サンプリング（ＣＤＳ）回路３３にてベースバンド信号にされ、Ａ／Ｄ変換回路３４にてデジタル信号に変換される。
【００２３】
デジタル化された映像信号はプロセス回路３５を構成するオートゲインコントロール（ＡＧＣ）回路３５ａ、デジタルノイズリダクション（ＤＮＲ）回路３５ｂ、色分離回路３５ｃ、ホワイトバランス（Ｗ／Ｂ）回路３５ｄ、エンハンス回路３５ｅ、色調補正回路３５ｆ、ガンマ補正（γ）回路３５ｇ等の処理回路を経て、Ｄ／Ａ変換回路３６にてアナログ信号に変換され、さらにエンコーダ３７でＮＴＳＣ方式の映像信号などに変換されて、モニタ８に入力され、モニタ８の表示面に被写体像を表示する。
【００２４】
Ａ／Ｄ変換回路３４で変換されたデジタル信号はさらに検波回路３８に入力され、モニタ８上での被写体像の明るさを調整する機能を備えた、複数（具体的には４つ）の明るさ制御手段（調光制御手段ともいう）を構成する、電子シャッタ、オートアイリス、光源装置４（の調光）、ＡＧＣ用の制御信号を作成する。
【００２５】
ＡＧＣ用の制御信号はＡＧＣ回路３５ａ、ＤＮＲ回路３５ｂに出力され、ＡＧＣ回路３５ａのＡＧＣゲイン設定とＤＮＲ回路３５ｂのＤＮＲの設定の制御に使用される。
【００２６】
また、電子シャッタ、オートアイリス、光源装置４の制御データ、つまりシャッタデータ、オートアイリスデータ、光源調光データは、データ多重化回路３９で多重化されて、二次回路からからフォトカプラ４１で絶縁した患者回路側のデータ分離回路４２に出力される。
【００２７】
データ分離回路４２は、データ多重化回路３９により多重化された電子シャッタ、オートアイリス、及び光源装置４の制御データの分離を行う。そして、電子シャッタの制御データはＣＣＤ２２をドライブするＣＣＤドライブ回路４３に出力されて、ＣＣＤ２２の電荷蓄積時間を制御する、つまり素子シャッタの時間を制御する。
【００２８】
また、オートアイリスデータは、オートアイリス駆動回路４４を経由して、ＣＣＤ２２の前面に設けられた絞り２０の開口を自動制御する。さらに光源制御データは、光源制御回路４５を介して調光信号として光源装置４に伝送され、絞り装置１８によりランプ１６からの光量の制御が行われる、つまり光源装置４の調光を行う。
【００２９】
また、データ量検出回路１００にて、シャッタデータ及びオートアイリスデータが所定のリミッタ値（制御限界値）に達したことを検出して、光源制御回路４５からケーブル１９を介して光源装置４のターレット１０１を制御しメッシュ状のフィルタを備えたフィルタ部１５４ａを光軸に挿入し、出射光を減光する。
【００３０】
更に、ＣＣＵ７には図５に示すようなフロントパネルＳＷ部４６が設けてある。このフロントパネルＳＷ部４６には、電子シャッタスイッチ（単に、シャッタと略記）４６ａ、光源スイッチ（調光スイッチ）４６ｂ、オートアイリススイッチ４６ｃ、及びＡＧＣスイッチ４６ｄが設けられ、それぞれ電子シャッタ、光源、オートアイリス及びＡＧＣの各機能の動作をオン、オフ（入切）できる。
【００３１】
このオン、オフの設定状態はＣＰＵ４８により取得されて、複数の明るさ制御或いは調光制御手段の優先順位を決定する優先順位決定回路４９に設定状態を出力する。この優先順位決定回路４９では、複数の調光制御の優先順位の決定と、この優先順位に応じて各調光制御の目標値の設定を行い、検波回路３８に出力すると共に、オンされた調光制御手段中での最優先の調光制御の目標値が優先順位決定回路４９で決定された最優先の調光制御手段の目標値に保持されるように明るさ調整を行わせるようにする。
【００３２】
次に図６を用いて、検波回路３８の構成を説明する。
【００３３】
Ａ／Ｄ変換回路３４から出力された映像信号は１フィールド平均回路５１に入力され、この１フィールド平均回路５１にて映像信号の１フィールド毎の平均値を求める（１フレーム毎の平均値を求める１フレーム平均回路でも良い）。
【００３４】
この平均値の平均信号は各調光制御の応答速度を決定する各調光毎のループフィルタ、つまり、ＡＧＣ用ループフィルタ５２ａ、光源調光用ループフィルタ５２ｂ、オートアイリス用ループフィルタ５２ｃ、電子シャッタ用ループフィルタ５２ｄに入力され、それぞれの調光制御に適した平均信号にされる。
【００３５】
そして、各平均信号は調光制御毎の目標輝度レベルを設定する目標レベル設定回路５３ａ、５３ｂ、５３ｃ、５３ｄにそれぞれ入力され、各目標レベルに合わせた制御信号に変換される。この各目標レベルは前述した優先順位決定回路４９から得られる。
【００３６】
そして、ＡＧＣ用ループフィルタ５２ａを通した目標レベル設定回路５３ａの出力はゲイン設定回路５４を通してＡＧＣ回路３５ａ及びＤＮＲ回路３５ｂに入力される。
【００３７】
また、光源調光用ループフィルタ５２ｂ及びオートアイリス用ループフィルタ５２ｃを通した目標レベル設定回路５３ｂ及び５３ｃの出力はデータ多重化回路３９に入力される。また、電子シャッタ用ループフィルタ５２ｄを通した目標レベル設定回路５３ｄの出力はシャッタデータ変換回路５５を経てデータ多重化回路３９に入力される。
【００３８】
目標レベル設定回路５３ｉ（ｉ＝ａ，ｂ，ｃ，ｄ）は図７に示すように構成される。優先順位決定回路４９から得られた目標レベルから、ループフィルタを通した平均信号に与えるシフト量をシフト量設定回路５６で作成する。このシフト量はレベルシフト回路５７に入力され、レベルシフト回路５７で該シフト量に応じて、平均信号をシフトして、各調光の制御信号を作成して出力する。
【００３９】
シャッタデータ変換回路５５は図８に示すように構成される。シャッタデータ変換回路５５はルックアップテーブル（ＬＵＴ）５８と、このＬＵＴ５８の出力データを１フィールド遅延する１フィールド遅延回路５９とから構成される。
【００４０】
ＬＵＴ５８は目標レベル設定回路５３ｄから出力されたデータを、１フィールド前に出力した電子シャッタデータから新しい（電子）シャッタデータを導くテーブルを構成している。この場合、１フィールド遅延回路５９を通すことにより、ＬＵＴ５８は１フィールド前に出力したシャッタデータを得るようにしている。
【００４１】
このＬＵＴ５８のテーブルデータによりＣＣＤドライブ回路４３に与えるシャッタデータを作成する。なお、シャッタデータ変換回路５５は、目標レベル変換回路５３ｄも含めて図９のように構成してもよい。
【００４２】
つまり、図８のような構成のＬＵＴ５８ｊ（ｊ＝ａ，ｂ，…，ｎ）及び１フィールド遅延回路５９ｊからなるシャッタデータ変換回路５５ｊを複数用意し、その入力端と出力端に設けたマルチプレクサ６０ａと６０ｂを目標レベルの変更に応じて切り替え、切り替えで選択されたＬＵＴ５８ｊを用いてシャッタデータを作成するものである。
【００４３】
なお、優先順位決定回路４９は調光制御に使用されない、つまりオフの調光制御手段の情報をＣＰＵ４８を介して受け取ると、例えばその場合の制御信号を検波回路３８からデータ多重化回路３９側に送らないようにする。例えば、オートアイリスをオフにすると、オートアイリスデータはデータ多重化回路３９に送られないので、データ分離回路でデータを分離した場合に、オートアイリスデータは無く、オートアイリスの機能は停止した状態となる。従って、そのオフにされた調光制御手段では調光を行わない。なお、データを送らないようにする代わりにオフにするデータ等を送るようにしていも良い。
【００４４】
つまり、優先順位決定回路４９は調光制御に使用される、つまりオンの調光制御手段の情報をＣＰＵ４８を介して受け取ると、オンの調光制御手段の制御信号が検波回路３８からデータ多重化回路３９側に送られる。また、優先順位に応じて、オンされた調光制御手段における最優先の調光制御手段で明るさ調整を優先して行う。
【００４５】
例えば、優先順位決定回路４９で決定された優先順位でオートアイリスが最優先に設定され、このオートアイリス及び光源調光が実際に選択された場合には、オートアイリスでの調光制御の目標値を優先して維持するように他の調光制御手段で調光制御を行い、この場合優先順位が高いものをその目標値に近いレベルに優先させるようにして調光制御を行う。
【００４６】
また、本実施の形態では、優先順位決定回路４９で決定された優先順位で最も優先度が高い調光制御手段が選択されないオフの場合には、選択されたオンの調光制御手段中で最も優先度が高い調光制御手段の目標値を例えばレベルシフトして優先順位決定回路４９で決定された優先順位で最も優先度が高い調光制御手段の目標値に一致するようにするようにしていることが特徴となっている。
【００４７】
つまり、本実施の形態では、モニタ８上に表示される画像の明るさを調整するための複数の調光制御手段を備え、複数の調光制御の優先順位を決定する優先順位決定手段と、選択される（つまり動作中の）調光制御手段中での最も優先度が高い調光制御手段の目標値を優先順位決定手段で決定された最優先の調光制御手段の目標値に変更する手段を設けていることが特徴となっている。
【００４８】
次に本実施の形態の作用を説明する。
【００４９】
予め、優先順位決定回路４９にて各調光制御手段の優先順位を決定する。優先順位は複数の組み合わせが存在するが、ここでは例えば優先順位が高い順に記載すると、オートアイリス＞光源による調光＞電子シャッタ（ＥＬＣと略記）による調光（これを単に、オートアイリス＞光源＞ＥＬＣと略記）を第１優先順位とした。
【００５０】
次に、この第１優先順位における各調光制御手段の目標レベルを決定する。本実施の形態では、図５に示すフロントパネルＳＷ部４６による各調光制御手段のＯＮ，ＯＦＦ（入切）の状態に応じて、各目標レベルを個別に設定可能としており、例えば各目標レベルを以下の通りに設定した。
【００５１】
まず、第１優先順位において、全ての調光制御手段がＯＮの時の各目標レベルは、オートアイリスを６０ＩＲＥ、光源を６５ＩＲＥ、ＥＬＣを７０ＩＲＥと設定する。
【００５２】
また、第１優先順位において、オートアイリスのみをＯＦＦとした時の各目標レベルは、オートアイリスの次の優先順位の光源を６０ＩＲＥ、ＥＬＣを６５ＩＲＥとする。
【００５３】
この場合、最も優先順位が高いオートアイリスのみをＯＦＦとした時に、実際に調光制御の動作を行う動作中の全ての調光制御手段における最も優先順位の高い光源の目標レベルを、全ての調光制御手段中で最も優先順位が高いオートアイリスの目標レベル、つまり６０ＩＲＥにシフトさせている。
【００５４】
また、第１優先順位において、オートアイリス及び光源をＯＦＦとした時のＥＬＣの目標レベルを６０ＩＲＥとする。つまり、最も優先順位が高いオートアイリスと、次の優先順位の光源をＯＦＦとした時に、残りの調光制御手段で最も優先順位の高いＥＬＣ（但し、この場合には残りの調光制御手段は１つであるが複数の場合も含めた表現で述べている）の目標レベルを、全ての調光制御手段中で最も優先順位が高いオートアイリスの目標レベル、つまり６０ＩＲＥにシフトさせている。
【００５５】
以上の設定は、図１０に示す通りである。
【００５６】
上記設定により、第１優先順位において、フロントパネルＳＷ部４６で全ての調光手段をＯＮとした時、その情報はＣＰＵ４８を経て優先順位決定回路４９に送られ、この優先順位決定回路４９はオートアイリスを最優先とした目標レベルの設定を行うように検波回路３８の目標レベル決定回路５３ｃの設定制御を行う。
【００５７】
そして、このオートアイリスを最優先とした目標レベルを維持するように、光源調光等で調光制御を行うため、オートアイリスを絞った被写界深度が向上する画像が得られると共に、モニタ８上の明るさは６０ＩＲＥとなる。
【００５８】
また、第１優先順位において、必要に応じて最も優先順位が高いオートアイリスのみをＯＦＦとした時、オートアイリスをＯＦＦにした情報はＣＰＵ４８を経て優先順位決定回路４９に送られる。
【００５９】
この優先順位決定回路４９は、オートアイリスによる目標レベル設定を使用しない状態にし、オートアイリスを除く残りの調光制御手段における最も優先順位が高い光源調光の目標レベル設定回路５３ｂの目標レベルをオートアイリスの目標レベルにシフトさせ、このシフトさせた目標レベルで調光制御を行うように制御する。従ってこの場合も、モニタ８上での明るさは、動作中の調光制御手段中で最優先される光源の目標レベル６０ＩＲＥとなる。
【００６０】
つまり、複数の調光制御手段において、最優先の調光手段をＯＦＦにして残りの複数の調光手段で調光を行うモードに切り替えた場合にも、切り替える前の明るさを維持できる。
【００６１】
また、第１優先順位において、必要に応じてオートアイリス及び光源をＯＦＦとした時、上記と同様にＥＬＣの目標レベルをオートアイリスの目標レベルにシフトさせるので、モニタ８上での明るさは、ＥＬＣの目標レベル６０ＩＲＥとなる。この場合にも、残りの調光制御手段で調光を行うようにしてもモニタ８での明るさは変化しないで、切り替える前の明るさを維持できる。
【００６２】
なお、上記説明では複数の調光制御手段において、優先順位が高い調光制御をＯＮからＯＦＦにした場合に、残りの調光制御手段による調光制御の目標値が変わらないように一定に保つ作用を説明したが、この逆により優先順位が高い調光制御をＯＮにした場合でも同様に調光制御の目標値が変わらない。
【００６３】
なお、調光制御手段の優先順位としては、例えば第２優先順位として、光源＞オートアイリス＞ＥＬＣ＞としたり、例えば第３優先順位として、ＥＬＣ＞光源＞オートアイリス＞等を設定しても良い。これらの場合も、上記と同様に各調光制御手段の目標レベルを設定することにより、複数の調光制御手段の優先順位が高いものをＯＮからＯＦＦ等したりしても、その場合に実際に動作する最優先の調光制御手段の目標レベルを優先順位決定回路４９で決定した最優先の調光制御手段の目標値に保持でき、従ってモニタ８上の画像の明るさを一定に保つことができる。
【００６４】
また、上記の調光制御手段の優先順位にＡＧＣ回路３５ａによるＡＧＣ機能を含めても構わない。
【００６５】
次にＡＧＣゲインとＤＮＲ設定の関係を説明する。図６で示したように目標レベル設定回路５３ａの出力から、ゲイン設定回路５４にてＡＧＣ回路３５ａのゲインを設定する。この設定値は図４のＡＧＣ回路３５ａとＤＮＲ回路３５ｂに出力され、ＡＧＣ動作を行うとともに、例えば図１１に示すような設定でＤＮＲにてノイズ除去を行う。
【００６６】
つまり、ＡＧＣゲインが０ｄＢの場合にはＤＮＲ回路３５ｂのＤＮＲの設定はＯＦＦで、ＡＧＣゲインが０ｄＢ〜６ｄＢの場合にはＤＮＲ回路３５ｂのＤＮＲの設定は弱で、ＡＧＣゲインが６ｄＢ以上の場合にはＤＮＲ回路３５ｂのＤＮＲの設定は強に設定することにより、ＡＧＣゲインを可変設定した場合にも、ノイズの影響を目立たなくして、良好な画質を保持できる。
【００６７】
上記の制御動作中において、データ量検出回路１００がシャッタデータ及びオートアイリスデータが所定のリミッタ値（制御限界値）に達したことを検出すると、光源制御回路４５はケーブル１９を介して光源装置４のターレット１０１を制御しメッシュ状のフィルタを備えたフィルタ部１５４ａを光軸に挿入し、出射光を減光する。
【００６８】
本実施の形態は以下の効果を有する。
【００６９】
上記の構成及び作用により、本実施の形態では、シャッタデータ及びオートアイリスデータが所定のリミッタ値（制御限界値）に達した場合、メッシュ状のフィルタを備えたフィルタ部１５４ａを光軸に挿入し出射光を減光し、ハレーションの発生を防止することを可能とする。
【００７０】
［付記］
（付記項１）  被写体を照明する照明光を発生する光源装置と、
前記照明光で照明された前記被写体像を撮像する撮像手段と、
前記撮像手段から出力された撮像信号の信号レベルに応じて調光信号を生成する調光信号生成手段と、
前記調光信号生成手段から出力された前記調光信号の信号レベルに比例して前記撮像手段の受光期間を制御する受光期間制御手段と、
前記調光信号に基づき、該調光信号が前記受光期間制御手段の制御限界値に達したことを検出する限界値検出手段と、
前記限界値検出手段による限界値検出信号に基づき、前記光源手段が発生する前記照明光を予め決められた規定量だけ低減する照明光低減手段と
を具備したことを特徴とする電子内視鏡装置。
【００７１】
（付記項２）  被写体を照明する照明光を発生する光源装置と、
前記照明光で照明された前記被写体像を撮像する撮像手段と、
前記撮像手段から出力された撮像信号の信号レベルに応じて調光信号を生成する調光信号生成手段と、
前記調光信号生成手段から出力された前記調光信号の信号レベルに比例して前記光源手段の発生する照明光量を制御する照明光量制御手段と、
前記調光信号に基づき、該調光信号が前記照明光量制御の制御限界値に達したことを検出する限界値検出手段と、
前記限界値検出手段による限界値検出信号に基づき、前記光源手段が発生する前記照明光を予め決められた規定量だけ低減する照明光低減手段と
を具備したことを特徴とする電子内視鏡装置。
【００７２】
（付記項３）  被写体を照明する照明光を発生する光源装置と、
前記照明光で照明された前記被写体像を撮像する撮像手段と、
前記撮像手段から出力された撮像信号の信号レベルに応じて調光信号を生成する調光信号生成手段と、
前記撮像手段の受光面に設けられた絞り手段と、
前記調光信号生成手段から出力された前記調光信号の信号レベルに比例して前記絞り手段の絞り量を制御する絞り制御手段と、
前記調光信号に基づき、該調光信号が前記絞り制御手段の制御限界値に達したことを検出する限界値検出手段と、
前記限界値検出手段による限界値検出信号に基づき、前記光源手段が発生する前記照明光を予め決められた規定量だけ低減する照明光低減手段と
を具備したことを特徴とする電子内視鏡装置。
【００７３】
【発明の効果】
以上説明したように本発明の電子内視鏡装置によれば、調光手段が調光信号生成手段から出力された調光信号の信号レベルに比例して撮像手段から出力される撮像信号レベルを制御し、限界値検出手段が調光信号に基づき該調光信号が前記調光手段の制御限界値に達したことを検出し、照明光低減手段が限界値検出手段による限界値検出信号に基づき前記光源手段が発生する前記照明光を予め決められた規定量だけ低減するので、適正な調光制御を行うと共に、近接撮影時のハレーションの発生を防止することができるという効果がある。
【図面の簡単な説明】
【図１】本発明の第１の実施の形態の電子内視鏡装置の全体構成図。
【図２】光源装置の構成を示す構成図。
【図３】光源装置の制御系の構成を示すブロック図。
【図４】ＣＣＵの構成を示すブロック図。
【図５】検波回路の構成を示すブロック図。
【図６】フロントパネルＳＷ部の構成を示す正面図。
【図７】目標レベル設定回路の構成を示すブロック図。
【図８】シャッタデータ変換回路の構成を示すブロック図。
【図９】シャッタデータ変換回路の変形例の構成を示すブロック図。
【図１０】優先順位決定回路で設定される第１優先順位での各調光制御手段の目標レベルの具体例を示す図。
【図１１】ＡＧＣゲインとＤＮＲ設定の関係の１例を示す図。
【符号の説明】
１…電子内視鏡装置
３…硬性内視鏡
４…光源装置
６…カメラヘッド
７…ＣＣＵ
８…モニタ
１２…対物レンズ
１８…絞り装置
２０…絞り（アイリス）
２２…ＣＣＤ
３５…プロセス回路
３８…検波回路
３９…データ多重化回路
４２…データ分離回路
４３…ＣＣＤドライブ回路
４４…オートアイリス駆動回路
４５…光源制御回路
４６…フロントパネルＳＷ部
４８…ＣＰＵ
４９…優先順位決定回路
５１…１フィールド平均回路
５２ａ，５２ｂ，５２ｃ，５２ｄ…ループフィルタ
５３ａ，５３ｂ，５３ｃ，５３ｄ…目標レベル設定回路
５５…シャッタデータ変換回路
５６…シフト量設定回路
５７…レベルシフト回路
１００…データ量検出回路
１０１…ターレット
【図１】
0003696005.tif 000002
【図２】
0003696005.tif 000003
【図３】
0003696005.tif 000004
【図４】
0003696005.tif 000005
【図５】
0003696005.tif 000006
【図６】
0003696005.tif 000007
【図７】
0003696005.tif 000008
【図８】
0003696005.tif 000009
【図９】
0003696005.tif 000010
【図１０】
0003696005.tif 000011
【図１１】
0003696005.tif 000012